(57)【特許請求の範囲】
【請求項１】
上壁に形成された開口部にホッパが設けられた箱状の機枠と、前記機枠内に配設された上部に開放部を有するとともに側壁に吸引孔が形成された風室と、前記風室内に配設された前記開放部へ向かう空気流を発生するためのファンと、前記風室の前記開放部に着脱自在に設けられた選別盤と、前記風室を揺動自在に支持する揺動機構と、前記ファンおよび前記揺動機構の駆動手段とを備えた石抜き機において、
前記ホッパを一側縁部を回動支点として回動自在に設けることによって前記開口部を開放できるようにするとともに、前記機枠の側壁に前記選別盤をほぼ水平状態で出し入れできる形状の窓を設け、前記窓には該窓の下縁部に回動支点を有し約９０度の角度まで機外側へ開くことができる開閉扉を付設したことを特徴とする石抜き機。
【請求項２】
選別盤の異物放出用の開口部に、該異物放出用の開口部を常時閉鎖するシャッタを設け、該シャッタを開くための機外から随時操作できる操作部材を機枠に配設したことを特徴とする請求項１記載の石抜き機。
【請求項３】
風室の側壁に形成された吸引孔の開度を調節するための孔を有する風量調節板が前記側壁に沿って上下方向に移動自在に配設されていることを特徴とする請求項１または２記載の石抜き機。
【請求項４】
車輪を有する移動自在な基台上に配設されたことを特徴とする請求項１乃至３いずれか１項記載の石抜き機。
【請求項５】
請求項４記載の石抜き機において、前記石抜き機に隣接して、異物を分離済みの穀粒を所定の高さに揚穀する揚穀機が基台上に配設されたことを特徴とする石抜き機。
【発明の詳細な説明】
【０００１】
【発明の属する技術分野】
本発明は、穀粒に混入した小石、金属片、ガラス片等の異物を穀粒から分離するための石抜き機に関するものである。
【０００２】
【従来の技術】
従来、穀粒に混入した小石、金属片、ガラス片等の異物を穀粒から分離するために石抜き機が用いられている。
【０００３】
従来の石抜き機の一例について説明すると、図５に示すように、箱形の機枠１０１内に翼車１０５ａを内設した風室１０５を設け、風室１０５を揺動機構１０７の揺動杆１０７ａ，１０７ｂによって揺動自在に支持するとともに、風室１０５の上方の開放部に選別盤１０２を着脱自在に取り付けたものであって、選別盤１０２の図示左端部の穀粒を放出するための開口部１０２ａには、スプリング１０９によって常時閉鎖するように付勢された開閉弁１０３が設けられており、選別盤１０２を風室１０５の開放部に取り付けた際に、開閉弁１０３のレバー１０３ａが穀粒排出筒１０４の上縁部１０４ａに押圧されて開閉弁１０３が支軸１０３ｂを支点としてスプリング１０９の弾発力に抗して回動して開き、前記異物を分離済みの穀粒が開口部１０２ａより穀粒排出筒１０４へ排出されるように構成されている。
【０００４】
上記石抜き機において、ホッパ１０１ａから投入された前記異物が混入した穀粒は揺動する選別盤１０２上に落下し、翼車１０５ａによって発生された空気流が選別盤１０２の通風孔１０２ｂを通過して上方へ噴出する空気流と選別盤１０２の揺動運動との相互作用によって、穀粒よりも比重の大きな異物は異物排出筒１０８側へ搬送されて異物排出筒１０８を介して機外へ排出され、穀粒は前記開口部１０２ａ側へ流下して穀粒排出筒１０４より機外へ排出される。
【０００５】
ところで、穀粒中には前記異物の外に粉塵が含まれており、この粉塵によって選別盤１０２の通風孔１０２ｂが目詰まりして選別効率が低下するため、運転を中断して選別盤１０２を矢印方向へ引き出してこれを清掃する必要があるが、このとき開閉弁１０３のレバー１０３ａが穀粒排出筒１０４の上縁部１０４ａから離間し、スプリング１０９の弾発力により開閉弁１０３が選別盤の開口部１０２ａを閉鎖するため、残留する穀粒が風室１０５内へ落下するのを防止することができる（特公平６−６１５３４号公報）。
【０００６】
【発明が解決しようとする課題】
しかし、上記従来の技術では、選別盤を長手方向へ移動させて引き出さなければならず、引き出し作業に手間がかかるとともに、開閉弁が完全に閉じたとしても、選別盤が急角度に傾斜して残留する穀粒が落下するおそれがある。また、選別盤を点検する場合においても、選別盤の上方部や側部が閉塞されているので、石抜き機を分解しなくてはならないという問題点がある。
【０００７】
本発明は、上記従来の技術の有する問題点に鑑みてなされたものであって、選別盤の着脱や点検作業が容易に行なえるとともに、選別盤を取り外す際に残留する穀粒が落下するおそれのない石抜き機を実現することを目的とする。
【０００８】
【課題を解決するための手段】
上記目的を達成するために、本発明の石抜き機は、上壁に形成された開口部にホッパが設けられた箱状の機枠と、前記機枠内に配設された上部に開放部を有するとともに側壁に吸引孔が形成された風室と、前記風室内に配設された前記開放部へ向かう空気流を発生するためのファンと、前記風室の前記開放部に着脱自在に設けられた選別盤と、前記風室を揺動自在に支持する揺動機構と、前記ファンおよび前記揺動機構の駆動手段とを備えた石抜き機において、前記ホッパを一側縁部を回動支点として回動自在に設けることによって前記開口部を開放できるようにするとともに、前記機枠の側壁に前記選別盤をほぼ水平状態で出し入れできる形状の窓を設け、前記窓には該窓の下縁部に回動支点を有し約９０度の角度まで機外側へ開くことができる開閉扉を付設したことを特徴とするものである。
【０００９】
また、選別盤の異物放出用の開口部に、該異物放出用の開口部を常時閉鎖するシャッタを設け、該シャッタを開くための機外から随時操作できる操作部材を機枠に配設したり、風室の側壁に形成された吸引孔の開度を調節するための孔を有する風量調節板が前記側壁に沿って上下方向に移動自在に配設されていると効果的である。
【００１０】
さらに、上記石抜き機を車輪を有する移動自在な基台上に配設して支持したり、あるいは前記基台に支持された前記石抜き機に隣接して、異物を分離済みの穀粒を所定の高さに揚穀する揚穀機を設ける。
【００１１】
【作用】
ホッパを回動させて上壁に設けられた開口部を開放して該開口部を通して選別盤の状況を点検したり、着脱作業を行なうことができる。
【００１２】
また、選別盤を着脱する際に、機枠の側壁に形成された窓に設けられた開閉扉を機枠の外側へ約９０度の角度まで回動させて開いて水平状態とし、該水平状態の開閉扉を選別盤の受け台兼出し入れ時のガイドとして用いることができる。このため、選別盤をほぼ水平状態で容易に着脱でき、不用意に急角度に傾斜して残留する穀粒が落下するようなことがない。
【００１３】
【発明の実施の形態】
本発明の実施の形態を図面に基づいて説明する。
【００１４】
図１および図２に示すように、本実施例の石抜き機Ｍ１  は、下面に車輪３０ａを有する移動自在な基台３０の上面に配設されており、該石抜き機Ｍ１  に隣接して石抜き機Ｍ１  より放出された異物を分離済みの穀粒を所定の高さまで自動的に揚穀するための揚穀機Ｍ２  が配設されている。
【００１５】
石抜き機Ｍ１  は、長さが短い下半部１ｂと長さが長い上半部１ａからなる長手方向両端部に段差部１ｃ、１ｄを有する箱状の機枠１を備え、その上壁１ｆには開口部１ｇが形成されており、該開口部１ｇの異物放出筒６側の縁部にはヒンジ７ｅを介してホッパ７がその一側縁部である一方のフランジ７ｂの先端部を回動支点として回動自在に設けられている。このため、選別盤２を含めて機内の状況を点検したり選別盤２を着脱する際に、ホッパ７を図示するように回動させて上壁１ｆに設けられた開口部１ｇを開放し、該開口部１ｇを通して上述した点検や選別盤２の着脱作業を行なうことができる。
【００１６】
なお、本実施例の如く、着脱自在なホッパ７の周囲を取り囲む形状のホッパ外枠７ａを準備しておき、ホッパ７を他方のフランジ７ｃが上壁側に設けられた受け１ｈに当接する位置まで回動させて、開口部１ｇに装着したのちホッパ外枠７ａをホッパ７の図示上方から載置するようにしておくと、ホッパ７の高さを低くすることができるため、ホッパ７の回動操作が容易になるとともに開口部１ｇの上方空間を大きく開放することができて便利である。
【００１７】
また、一方の段差部１ｃには機枠１に一体的に設けられた異物放出筒６の上端側が連通されており、他方の段差部１ｄには機枠１に一体的に設けられた穀粒放出筒５の上端側が連通されている。加えて、機枠１の上半部１ａにおける一方の側壁には、後述する選別盤２がほぼ水平状態で出し入れできる形状の窓１ｅが形成されており、該窓１ｅにはその下縁部に回動支点を有し約９０度の角度まで機外側へ開く開閉扉１０が取り付けられている。
【００１８】
機枠１の下半部１ｂには、その上方部に風室４が配設されており、風室４の下方部は間隔をおいて設けられた仕切壁３によって覆われている。
【００１９】
図３および図４に示すように、風室４は、上部に開放部４ａを有するとともに側壁には空気を導入するための吸引口４ｂが形成されたおり、その内部に開放部４ａへ向かう空気流を発生させるためのファン８が配設されており、後述する揺動機構によって揺動自在に支持されている。
【００２０】
また、側壁には、吸引口４ｂを間に挟んで上下方向に延在するガイドレール５１ａ，５１ｂが平行に設けられており、該ガイドレール５１ａ，５１ｂは吸引口４ｂの開度を調節するための孔５０ａを有する風量調節板５０の両側縁部が摺動自在に係合されている。このため風量調節板５０をガイドレール５１ａ，５１ｂに沿って上下方向に移動させることにより吸引口４ｂの開度を調節して風量を変化させることができる。
【００２１】
揺動機構は、機枠１に一体的に設けられた不図示のステー等に一端側が枢軸３７ａ，３８ａによってそれぞれ枢着された一対のスイングアーム３７，３８と、クランク軸３３に偏心ボス３４を介して一端側が連結されたクランク連結プレート３９と、該クランク連結プレート３９の他端側に枢軸３６によって枢着された連結部材３５から構成されたものであって、風室４の側壁に前記一対のスイングアーム３７，３８の他端側をそれぞれ枢軸３７ｂ，３８ｂによって枢着するとともに前記連結部材３５の他端側を固着することにより、風室４を揺動自在に支持する。
【００２２】
また、ファン８および前記揺動機構の駆動手段は、クランク軸３３に固定された図示しないクランク軸プーリと、ファン８のファン軸８ａに固定された図示しないファン軸プーリと、インバータ電動機４０の電動機軸に固定された電動機軸プーリとにかけ回されたベルトからなる。
【００２３】
選別盤２は、多数の通気孔を有する多孔板２ａとその周囲をとり囲む側枠２ｂからなる深さの浅い箱状のものであって、その長手方向両端部近傍には開口部２ｃ，２ｄがそれぞれ形成されており、前記風室４の開放部４ａの周縁部に装着したとき両開口部２ｃ，２ｄがそれぞれ穀粒放出筒５および異物放出筒６の上方に臨むように構成されている。
【００２４】
シャッタ３１は図２に示すように、異物放出用の開口部２ｄ全体を閉鎖する形状の本体３１ａと、その上部に選別盤２の外方へ突出するレバー３１ｂを備え、本体３１ａの下角隅部が枢支軸（不図示）を介して選別盤２の側枠２ｂに枢着されており、自重またはスプリング等により選別盤２の異物放出用の開口部２ｄを常時閉鎖するように構成されている。他方、機枠１の上壁１ｆには、下端に前記レバー３１ｂに当接する板状の当接部を有する操作部材３２が上下動自在に設けられ、その頭部３２ｂと上壁１ｆの間にスプリング３２ｃを介在させることにより、常時反矢印方向（上壁１ｆ側）へ上昇するように付勢されている。このため、操作部材３２の頭部３２ｂを手動または流体圧シリンダのピストン等により矢印方向へ押し下げると、当接部３２ａがレバー３１ｂに当接してこれを押し下げてシャッタ３１を図示時計回りに回動させるので異物放出用の開口部２ｄが開放され、選別盤２上の開口部２ｄ近傍に溜まった前記異物を放出することができる。つまり、機枠にはシャッタを開くための機外から随時操作できる操作部材が設けられている。
【００２５】
揚穀機Ｍ２  は、下方部位にホッパ２５が連通されているとともに、上方部位に放出筒２２の一端側が連通された揚穀筒２１を備え、該揚穀筒２１内には、ホッパ２５から導入された前記異物を分離済みの穀粒を上方へ搬送して放出筒２２を通して機外へ放出するための公知のバケットコンベア２４が配設されたものである。該バケットコンベア２４は公知のものでよく、下方部の２段プーリ２８と上方部のプーリ２９とにかけ回されたベルト２７により回転駆動力が伝動されて矢印方向に回転する。
【００２６】
なお、放出筒２２の放出口部には必要に応じて可撓管２３を装着すると、袋詰めおよび計量作業を容易に行なうことができる。
【００２７】
次に、本実施例の動作について図１を参照して説明する。
【００２８】
ホッパ７より投入された前記異物が混入した穀粒は、前記揺動機構によって揺動される選別盤２上に落下し、多孔板２ａの前記通風孔を通過して上方へ噴出する空気流と選別盤２の揺動運動の相互作用によって穀粒より比重の大きな前記異物を穀粒から分離し、該異物は矢印Ａ方向へ搬送されて異物放出用の開口部２ｄの近傍に溜まり、異物を分離済みの穀粒は矢印Ａ方向と逆方向に流下されて穀粒放出筒５より機外へ放出される。
【００２９】
穀粒放出筒５より機外へ放出された異物を分離済みの穀粒は、揚穀機Ｍ２  のホッパ２５へ落下して導入口２１ａより揚穀筒２１内に入り、バケットコンベア２４により揚穀されて放出筒２２より放出されるが、この揚穀機Ｍ２  は予め袋詰めや計量等の作業に便利な高さに設定されているため、袋詰めや計量等の作業を容易に行なうことができる。
【００３０】
他方、選別盤２の異物放出用の開口部２ｄの近傍に所定量の前記異物が溜まると、操作部材３２を押し下げその当接部３２ａでレバー３１ｂを押し下げることによりシャッタ３１を時計回りに回動させて異物放出用の開口部２ｄを開放し、前記異物を異物放出筒６を通して機外へ排出する。
【００３１】
【発明の効果】
本発明は上述のとおり構成されているので、次に記載するような効果を奏する。
【００３２】
ホッパを回動させて上壁に設けられた開口部を開放し、該開口部を通して選別機内の状況を点検したり、選別盤の着脱作業を行なうことができる。
【００３３】
また、選別盤を着脱する際に、開閉扉を約９０度の角度まで機外側へ開き、該開閉扉を支持台兼ガイドとして利用し、その上面で選別盤をスライドさせてほぼ水平状態で着脱することができる。その結果、選別盤が不用意に傾いてその内部に残留する穀粒が風室等へ落下するおそれがなくなるとともに、着脱作業も容易に行なうことができる。
【００３４】
また、請求項５記載の発明によれば、異物を分離済みの穀粒を所定の高さに揚穀できるため、袋詰めや計量等の作業を容易に行なうことができる。
【図面の簡単な説明】
【図１】本発明の石抜き機の一実施例を示す模式斜視図である。
【図２】図１に示す石抜き機の模式断面図である。
【図３】図１に示す石抜き機を揺動機構が設けられた側からみた説明図である。
【図４】図１に示す石抜き機の風室および揺動機構を示す部分斜視図である。
【図５】従来の石抜き機を示し、（ａ）はその模式断面図、（ｂ）はその主要部の模式拡大断面図である。
【符号の説明】
１    機枠
１ａ    上半部
１ｂ    下半部
１ｃ，１ｄ    段差部
１ｅ    窓
１ｆ    上壁
１ｇ，２ｃ，２ｄ    開口部
１ｈ    受け
２    選別盤
２ａ    多孔板
２ｂ    側枠
３    仕切壁
４    風室
４ａ    開放部
４ｂ    吸引口
５    穀粒放出筒
６    異物放出筒
７，２５    ホッパ
７ａ    ホッパ外枠
７ｂ，７ｃ    フランジ部
８    ファン
８ａ    ファン軸
１０    開閉扉
２１    揚穀筒
２１ａ    導入口
２２    放出筒
２３    可撓管
２４    バケットコンベア
２６    電動機
２６ａ，２９    プーリ
２７    ベルト
２８    ２段プーリ
３０    基台
３０ａ    車輪
３１    シャッタ
３１ａ    本体
３１ｂ    レバー
３２    操作部材
３２ａ    当接部
３２ｂ    頭部
３２ｃ    スプリング
３３    クランク軸
３４    偏心ボス
３５    連結部材
３６，３７ａ，３８ａ，３７ｂ，３８ｂ    枢軸
３７，３８    スイングアーム
３９    クランク連結プレート
４０    インバータ電動機
５０    風量調節板
５０ａ    孔
【図１】
0003607414.tif 000002
【図２】
0003607414.tif 000003
【図３】
0003607414.tif 000004
【図４】
0003607414.tif 000005
【図５】
0003607414.tif 000006